【手続補正書】
【提出日】平成28年4月22日(2016.4.22)
【手続補正１】
【補正対象書類名】明細書
【補正対象項目名】００４７
【補正方法】変更
【補正の内容】
【００４７】
本発明をその例示的な実施形態を参照して詳細に示して説明してきたが、添付の特許請求の範囲に包含される本発明の範囲を逸脱することなく、さまざまな形の変更および詳細説明がなされ得ることが当業者によって理解されるであろう。
なお、本発明は、実施の態様として以下の内容を含む。
［態様１］
ヘッドセットコンピュータを動作させる方法であって、
ヘッドセットコンピュータのためのドッキングステーションを提供することと、
対象アプリケーションのハンズフリーの第１のバージョンを前記ヘッドセットコンピュータ上で実行することと、
前記ヘッドセットコンピュータが前記ドッキングステーションに動作可能に接続されているとき、前記対象アプリケーションの異なるバージョンを前記ヘッドセットコンピュータ上で実行することと、
を含み、
前記ハンズフリーバージョンおよび前記異なるバージョンは、前記ヘッドセットコンピュータのメモリに記憶された共通のデータセットを利用する、方法。
［態様２］
ヘッドセットコンピューティングデバイスを動作させる方法であって、
前記ヘッドセットコンピューティングデバイスがヘッドセット状態であるかまたはドッキングステーションに動作可能に接続されているドッキング状態であるかを判断することと、
前記判定された状態に基づいて前記ヘッドセットコンピューティングデバイスをヘッドセットモードまたはドッキングモードで動作させることと、
アプリケーションを前記ヘッドセットコンピューティングデバイス上で実行することと、
前記ヘッドセットモードまたは前記ドッキングモードに従ってアプリケーション機能を有効および無効にすることと、
前記実行されたアプリケーションに従って、前記ヘッドセットコンピュータのメモリモジュールに記憶されている共通のアプリケーションデータセットにアクセスすることと、
を含み、
前記ヘッドセットモードでは、ハンズフリーユーザインターフェースを有効にし、手に依存する手依存ユーザインターフェースを無効にし、
前記ドッキングモードでは、前記手依存ユーザインターフェースを有効にし、前記ハンズフリーユーザインターフェースを無効にする、
方法。
［態様３］
態様１に記載のヘッドセットコンピューティングデバイスを動作させる方法において、
前記ハンズフリーユーザインターフェースを有効にすることは、自動音声認識と頭部追跡ユーザ入力とを用いて、前記ヘッドセットモードに従って、前記アプリケーションとインターフェースをとることをさらに含む方法。
［態様４］
態様３に記載のヘッドセットコンピューティングデバイスを動作させる方法において、
前記アプリケーション機能を有効および無効にすることは、読み込み専用ユーザ許可を有効にし、書き込みユーザ許可を無効にすることをさらに含む方法。
［態様５］
態様３に記載のヘッドセットコンピューティングデバイスを動作させる方法において、
前記ハンズフリーユーザインターフェースは、自動音声認識と頭部追跡入力とに適合するグラフィカルユーザインターフェースのヘッドセットバージョンを、前記ヘッドセットコンピューティングデバイスのマイクロディスプレイを介して表示することをさらに含む方法。
［態様６］
態様１に記載のヘッドセットコンピューティングデバイスを動作させる方法において、
前記手依存ユーザインターフェースは、キーボードおよびポインティングデバイスユーザ入力を用いて、前記ドッキングモードに従って、前記アプリケーションとインターフェースをとることをさらに含む方法。
［態様７］
態様６に記載のヘッドセットコンピューティングデバイスを動作させる方法において、
前記アプリケーション機能を有効および無効にすることは、書き込みユーザ許可を有効にし、読み込み専用ユーザ許可を無効にすることをさらに含む方法。
［態様８］
態様６に記載のヘッドセットコンピューティングデバイスを動作させる方法において、
前記手依存ユーザインターフェースは、前記ドッキングステーションに通信可能に接続されたモニタを介して、グラフィカルユーザインターフェースを表示することをさらに含む方法。
［態様９］
態様１に記載のヘッドセットコンピューティングデバイスを動作させる方法において、
前記アプリケーションを前記ヘッドセットコンピューティングデバイス上で実行することは、ワードプロセッシングアプリケーション、スプレッドシートアプリケーション、プレゼンテーションアプリケーションまたはインターネットブラウザアプリケーションを前記ヘッドセットコンピューティングデバイス上で実行することをさらに含む方法。
［態様１０］
態様１に記載のヘッドセットコンピューティングデバイスを動作させる方法において、
前記ヘッドセットコンピューティングデバイスを前記ドッキングモードで動作させることは、前記ヘッドセットコンピューティングデバイスの再充電可能バッテリを再充電することをさらに含み、前記再充電可能バッテリは、前記ヘッドセットモードにおいて前記ヘッドセットコンピューティングデバイスの動作に対して電力を供給する、方法。
［態様１１］
マイクロディスプレイおよびメモリモジュールに通信可能に接続されたプロセッサを含み、ヘッドセットモードまたはドッキングモードで動作するヘッドセットコンピューティングデバイスと、
メモリモジュールに記憶された共通のデータセットと、
ドッキング状態で前記ヘッドセットコンピューティングデバイスへの動作可能な接続を可能にするドッキングポートを含むドッキングステーションと、
前記プロセッサによって実行され、前記ヘッドセットモードまたは前記ドッキングモードに従って有効または無効にされるアプリケーション機能を含むアプリケーションと
を含み、
前記ドッキングモードは、前記ドッキング状態の判定に基づくものであり、
前記ヘッドセットモードでは、ハンズフリーユーザインターフェースを有効にし、手に依存する手依存ユーザインターフェースを無効にして、
前記ドッキングモードでは、前記手依存ユーザインターフェースを有効にし、前記ハンズフリーユーザインターフェースを無効にし、
前記共通のデータセットは前記アプリケーションに従ってアクセスされる、
デュアルモードコンピューティングデバイス。
［態様１２］
態様１１に記載のデュアルモードコンピューティングデバイスにおいて、
前記ハンズフリーユーザインターフェースは、ユーザ入力を受け取って前記アプリケーションとインターフェースをとるために、自動音声認識モジュールと頭部追跡モジュールとをさらに含むデュアルモードコンピューティングデバイス。
［態様１３］
態様１２に記載のデュアルモードコンピューティングデバイスにおいて、
前記アプリケーション機能は、前記ヘッドセットモードにおいて、有効とされた読み込み専用ユーザ許可と無効とされた書き込みユーザ許可とをさらに含むデュアルモードコンピューティングデバイス。
［態様１４］
態様１２に記載のデュアルモードコンピューティングデバイスにおいて、
前記マイクロディスプレイは、前記ヘッドセットモードにおいてグラフィカルユーザインターフェースのヘッドセットバージョンを表示する、デュアルモードコンピューティングデバイス。
［態様１５］
態様１１に記載のデュアルモードコンピューティングデバイスにおいて、
前記手依存ユーザインターフェースは、ユーザ入力を受け取って前記アプリケーションとインターフェースをとるために、キーボードとポインティングデバイスとをさらに含むデュアルモードコンピューティングデバイス。
［態様１６］
態様１５に記載のデュアルモードコンピューティングデバイスにおいて、
前記アプリケーション機能は、前記ドッキングモードにおいて、有効とされた書き込みユーザ許可と無効とされた読み込み専用ユーザ許可とをさらに含むデュアルモードコンピューティング。
［態様１７］
態様１５に記載のデュアルモードコンピューティングデバイスにおいて、
前記ドッキングステーションに通信可能に接続され、前記キーボードとポインティングデバイスとに適合するグラフィカルユーザインターフェースを表示するためのモニタをさらに含むデュアルモードコンピューティングデバイス。
［態様１８］
態様１１に記載のデュアルモードコンピューティングデバイスにおいて、
前記アプリケーションは、ワードプロセッシングアプリケーション、スプレッドシートアプリケーション、プレゼンテーションアプリケーションまたはインターネットブラウザアプリケーションである、デュアルモードコンピューティングデバイス。
［態様１９］
態様１１に記載のデュアルモードコンピューティングデバイスにおいて、
前記ヘッドセットコンピューティングデバイスは、前記ヘッドセットモードで動作している前記ヘッドセットコンピューティングデバイスに電力を供給し、かつ前記ドッキングモードにおいて再充電するための再充電可能バッテリをさらに含むデュアルモードコンピューティングデバイス。
［態様２０］
ヘッドセットコンピューティングデバイスを動作させるための非一時的なコンピュータプログラム製品であって、当該コンピュータプログラム製品は、コンピュータ読み取り可能な命令を記憶しているコンピュータ読み取り可能な媒体を含み、
当該命令は、プロセッサによってロードされ実行される際、当該プロセッサに、
前記ヘッドセットコンピューティングデバイスがヘッドセット状態であるかまたはドッキングステーションに通信可能に接続されているドッキング状態であるかを判断させ、
前記判定された状態に基づいて前記ヘッドセットコンピューティングデバイスをヘッドセットモードまたはドッキングモードで動作させ、
アプリケーションを前記ヘッドセットコンピューティングデバイス上で実行させ、
前記ヘッドセットモードまたは前記ドッキングモードに従ってアプリケーション機能を有効および無効させ、
前記ヘッドセットモードでは、ハンズフリーユーザインターフェースを有効にさせ、手に依存する手依存ユーザインターフェースを無効にさせ、
前記ドッキングモードでは、前記手依存ユーザインターフェースを有効にさせ、前記ハンズフリーユーザインターフェースを無効にさせ、
前記実行されたアプリケーションに従って、前記ヘッドセットコンピュータのメモリモジュールに記憶されている共通のアプリケーションデータセットにアクセスさせる、
非一時的なコンピュータプログラム製品。